(57)【要約】【課題】    配管工事の要らない電気ヒータを利用して低コストでの導入が可能で、メンテナンスも容易なユニットを提供する。【解決手段】  ケース体１０と、このケース体の上に配するヒータ装置２０とを備え、ヒータ装置は、電源供給によって発熱する発熱体２８と、上面に配した金属板２２とからなる。金属板２２は、発熱体２８が生ずる電磁波を低減する作用のある金属材料を用いて成形する。金属板としてはアルミニウム板を用いることが望ましい。電磁波の遮断効果が高く、成形も容易で軽量でありコストも安いからである。【選択図】    図１
2007000466.tif 000002
【特許請求の範囲】
【請求項１】
ケース体と、このケース体に配するヒータ装置とを備え、
ヒータ装置は、
電源供給によって発熱する発熱材と、この発熱材の少なくとも上面を覆う難錆金属板によって成形し、当該金属板は、発熱体が生ずる電磁波を低減する作用のある金属材を用いることを特徴とする岩盤浴のヒータユニット。
【請求項２】
グラスウールの内部に電源供給によって発熱する発熱材を配することを特徴とする請求項１記載の岩盤浴のヒータユニット。
【請求項３】
金属板は、アルミニウム板であることを特徴とする請求項１または請求項２記載の岩盤浴のヒータユニット。
【発明の詳細な説明】
【技術分野】
【０００１】
本発明は、加熱した石板の上に横たわって発汗を促すいわゆる岩盤浴の装置ユニットに係り、とくに電気利用のヒータ装置に関する。
【背景技術】
【０００２】
岩盤浴は、浴衣などの着衣をつけたまま暖かい石板の上に寝そべり、穏やかな発汗作用を得ることで人気がある。ホテルや旅館など、不特定多数の人が利用する施設では、石板の下に温水を循環させて石板を温める構成をとる場合が多い。
【０００３】
特許文献１には、電気ヒータを利用して石板を温めてもよいという記載があるが、電気ヒータを利用すると漏電等の問題があるため、電気ヒータ利用の岩盤浴のユニットは未だ市場にあらわれていないのが実状である。
【特許文献１】特開２００４−２６１５４７号
【発明の開示】
【発明が解決しようとする課題】
【０００４】
問題は、温水利用の岩盤浴の設備は、配管設備に多額の費用を要するだけでなく、配管やボイラ装置の故障が少なくなく、導入後のメンテナンスコストが嵩む点にある。
【０００５】
そこで、本発明の目的は、配管工事の要らない電気ヒータを利用して低コストで導入が可能であり、メンテナンスも容易なユニットを提供する点にある。
【課題を解決するための手段】
【０００６】
前記目的を達成するため、請求項１に係る岩盤浴のヒータユニットは、ケース体と、このケース体に配するヒータ装置とを備え、ヒータ装置は、電源供給によって発熱する発熱材と、この発熱材の少なくとも上面を覆う難錆金属板によって成形し、当該金属板は、発熱体が生ずる電磁波を低減する作用のある金属材を用いる。
【０００７】
この発明は、電気供給によって発熱する発熱体を利用する。給湯用の配管設備が要らないので、導入コストも安く、故障の発生確率も少ない。また、難錆の金属板で発熱体の上面を覆うことにより、汗や塩分が付着しても水で洗い流せるため、衛生上の問題もない。
【０００８】
請求項２は、グラスウールの内部に電源供給によって発熱する発熱材を配するものである。グラスウールを用いることによって、石板の上に体重をかけたときの弾力性を獲得し、硬い石の上に横たわる普通の岩盤浴に較べて格段に良好な使用感を得る。
【０００９】
請求項３は、ヒータの上面を覆う金属板としてアルミニウム板を用いるものである。金属板は一般に電磁波を遮断する効果が認められるが、金、銀、銅、アルミニウムはとくに電磁波の遮断効果が高い。このうちアルミニウムは成形も容易で軽量でありコストも安いため、ホテルや旅館など、不特定多数の利用客のために多数の台数を用意するところでは最も有利な材料である。導入コストも安く洗浄メンテナンスも容易だからである。
【００１０】
温水利用と異なり電気ヒータを使用する場合は必然的に電磁波を生ずるのであるが、これを嫌う人も少なくない。しかし、アルミニウムを使用すれば、人体に影響がない程度に電磁波を遮断できるため、温水利用の場合と遜色のない条件で岩盤浴を利用することが可能となる。なお、電磁波を遮断する金属板は複数枚数を重ねて使用してもよい。
【発明の効果】
【００１１】
本発明に係る岩盤浴のヒータユニットよれば、温水供給用の配管設備やボイラ装置がなくても、電源さえあれば岩盤浴の設備を簡単に設置することが出来る。石板を暖める温度保持の問題はなく、故障確率が少ないのでメンテナンスに要する費用も確実に低減できる。電磁波の問題、水や汗の塩分による問題も、例えばアルミニウム、金、銀、銅などの金属板を使用することにより防止できる。
【発明を実施するための最良の形態】
【００１２】
図１は、本発明に係る岩盤浴のヒータユニットを例示するものである。このヒータユニットは、ケース体１０と、このケース体１０の上に配するヒータ装置２０とを備えている、ケース体１０は、内部に例えば電源供給のための配線等を備える箱形台座である。このヒータユニットには、ホテルや旅館その他の施設における利用を図るため、必要に応じてケース体１０にはタイマ装置やランプ用その他の電源端子をもうけても良い。
【００１３】
ヒータ装置２０は、図２にも示すように、金属板（例えばアルミニウム板）を用いたヒータケース２１の内部にグラスウール２７を充填して、電気抵抗線２８を配したものである。ヒータケース２１は、少なくとも上面に金属板２２を備え、外周部に例えば断面略方形の補強材２３を配して、当該補強材２３と金属板２２とをビス等の固定部材を介して接続する。ヒータケース２１は、グラスウール２７を上面と外周部において封密できれば良い。下面には例えば、ＦＲＰ等の樹脂板２９を配する。補強材２３は、金属製である必要はない。樹脂を用いても良い。２４は、金属板２２の上に重ねて配したアルミニウム等の金属板である。電磁波の遮断効果を高めるためである。
【００１４】
金属板２４の表面には樹脂のコーティング層を設け、人体から出る汗や洗浄時の水や洗浄液による劣化を受けにくくしておくことが望ましい。コーティング用の樹脂材としては、例えばシリコン・フッ素樹脂を利用することが出来る。刷毛を用いて表面に数回塗って自然乾燥させてもよいし、エアーブラシを用いてシリコン・フッ素樹脂を吹き付け高温度で焼き付けにしてもよい。
【００１５】
ヒータ装置２０の上には、石板ユニット３０を配する。この石板ユニット３０は、例えば人造大理石で成形したユニットケース３１に、例えばコンクリート製の石板本体３３を配するものである。石板本体３３は、図３に示すように、複数配することが望ましい。移動や清掃を簡単にするためである。ヒータ装置２０によって石板本体３３を暖めることにより、石板本体３３の上に人が寝たときに穏やかな熱によって発汗作用を促すことができる。石板本体３３の表面温度は、５５℃前後とするのが好ましいため、ヒータ装置２０の表面温度（金属板２２の表面温度）は例えば６０〜６３℃程度に制御する。なお、図３において符号１９は、移動時に使用する把手である。
【００１６】
石板本体３３は、ラジウム鉱石を用いて成形することが望ましい。板厚は、例えば１０〜５０ｍｍの範囲である。ラジウム鉱石は、壊変に際してラドンを放出する。ラドンは、呼吸から体内に入ると鎮静等の医療効果があることが知られており、岩盤浴による心身リラックスに効果をもつ。ユニットケース３１に使用する人造大理石は、樹脂を用いて石材をかためたものであるが、光沢や滑らかさが良好で、熱伝導性も比較的良好であるため、石板ユニット３０の外観品質を高めるのに有利である。ユニットケース３１に使用する石材原料としては、例えばいわゆるブラックシリカ等の遠赤外線放出効果のあるものを使用することが望ましい。
【００１７】
またラジウム鉱石を主成分とする石板本体３３にも、遠赤外線の放出効果をもつ石材、例えば、いわゆるブラックシリカとして知られるシリカ、あるいは麦飯石を成分中に混入させても良い。これらの石材成分は、輻射熱の放出性能に優れ、人体を心地よく温める。また成分中にトルマリンを混入してもよい。トルマリンは、いわゆるマイナスイオンによる血液体液の改善によって心身をリフレッシュさせる効果があるとされるからである。
【００１８】
ケース体１０の外周上端部には、ヒータ装置２０および石板本体３３の動きを抑えるための枠部１５を設けておく。１６は、ヒータ装置２０を載せる棚板、１７は、ケース体１０の内部空間、１８は、汗や水を内部空間１７に導いて排出させるための外周溝である。枠材１５の上端面は、石板本体３３の表面よりも下に位置してもかまわない。石板本体３３の横の動きを抑えることが出来ればよいからである。
【００１９】
従って、かかる岩盤浴のヒータユニットによれば、温水用の配管工事を必要とせず、どのような施設であっても電源さえあれば簡単に岩盤浴の設備を導入実現することが出来る。ケース体１０ごと移動できるので、導入時の搬入やセッティングはきわめて簡単である。
【００２０】
石板本体３３を加熱するヒータ装置２０の上面には、電磁波の遮断効果をもつ金属板２２を配してある。従って、電気抵抗線２８を利用しても人体への電磁波の影響を極力低減することが出来る。なお、金属板２２の上に金属板２４を重ねることで電磁波の遮断効果が確実に高まる。
【００２１】
ヒータ装置２０および石板ユニット３０は、水や洗浄液による丸洗いも可能であり、衛生的な利用環境を常に確保できる。金属板２４の表面にコーティング層を設ければ、石板ユニット３０のずれによる金属板２４の損傷と汗の塩分による劣化の問題も生じない。
【００２２】
本発明に係る岩盤浴のヒータユニットは、前記説明のものに限定されない。例えば、ヒータ装置２０の熱源として電気抵抗線２８に代え、面状発熱体や線面状発熱体を用いてもよい。発熱体を配設するときの作業性がよく、位置決めが簡単で、面全体に熱が広がるために金属板２２への熱伝達の効率も良く、熱の均等分散を実現できるからである。面状発熱体や線面状発熱体を用いる場合は、グラスウール２７のような弾力をもたせる素材を必ずしも必要としない。二枚の金属板で平板な発熱体を挟んで石板ユニット３０を暖めることが出来るからである。グラスウール２７のようなクッション材を使用すれば、姿勢を変えるときなどに弾力性を得るため硬い石板に横たわる以上の優れた使用感がある。
【００２３】
面状発熱体への電源供給は、例えばケース体１０に廃した電気線を介して行う。電気抵抗線２８の電源をオンオフする温度調節用のサーモスタットも、好ましくはケース体１０の内部に設ける。
【００２４】
金属板２２の表面にコーティング層を設ける旨説明したが、他の方法によっても同様の効果は得られる。例えば、金属板２２と石板ユニット３０の間に肉薄のゴムマットのような衝撃緩和材を配しておけば、コーティング層がなくても石板ユニット３０の動きに起因する金属板２２の表面の破損は防止でき、汗や水による劣化も最小限に抑えることが出来るからである。金属板２２を袋状のシート材で包んで被覆した場合も同じである。金属板２２の劣化を確実に抑えるには、コーティング層を設けた上で、金属板２２と石板ユニット３０との間に衝撃緩和材（クッション材）を介在させる。金属板２２の表面または石板ユニット３０の裏面に衝撃緩和材（クッション材）を接着によって配しても良い。
【００２５】
前期実施形態では、ユニットケース３１を利用して石板本体３３を配する旨説明したが、石板本体３３を加熱するという目的だけで云えば、ユニットケース３１は必ずしも必要ではない。金属板２２の上に直接石板本体３３を配しても、見栄えは悪いが同一効果を得る。
【００２６】
金属は、電磁波を遮断ないし低減する効果をもっている。しかしながら、電磁波の遮断／低減性能には優劣がある。金、銀、銅、アルミニウムは、優れた性能を示す。これ以外の金属を利用してヒータ装置２０を構成するときは、電磁波を遮断する性能が高い素材（金属、樹脂を問わない）を用いたシート材によってヒータ装置２０を被覆することが望ましい。少なくともヒータ装置２０の表面を、金、銀、銅、アルミニウムによって被覆したヒータ装置２０であっても、電磁波を遮断する性能が高い素材（金属、樹脂を問わない）を用いたシート材を設けてかまわない。
【００２７】
ケース体１０の棚板１６は、例えば格子やネットのように隙間があってもかまわない。その場合、ケース体１０の外周溝１８は必要がない。外周溝１８がなくても石板本体３３の上から水洗いが出来るからである。ケース体１０は、樹脂、金属、木、石材など適宜の材料を使って成形できる。
【図面の簡単な説明】
【００２８】
【図１】実施形態に係るヒータユニットを例示する断面図である。
【図２】実施形態に係るヒータ装置を拡大して例示する部分断面図である。
【図３】実施形態に係るヒータユニットを石板とともに例示する斜視図である。
【００２９】
１０  ケース体
１５  枠材
１６  棚板
１７  内部空間
１８  外周溝
１９  把手
２０  ヒータ装置
２１  ヒータケース
２２、２４  金属板
２３  補強材
２７  グラスウール
２８  電気抵抗線（発熱体）
２９  樹脂板
３０  石板ユニット
３１  ユニットケース
３３  石板本体
【図１】
2007000466.tif 000003
【図２】
2007000466.tif 000004
【図３】
2007000466.tif 000005